(57)【特許請求の範囲】
【請求項１】
開閉可能な既設の窓が設けられた窓用開口部に取り付けられる換気装置であって、
前記既設の窓の屋内側に配設され、前記窓用開口部を閉塞する閉塞体と、
前記閉塞体に設けられ、前記閉塞体の屋内側および屋外側間で送風を行う換気ファンと、を備え、
前記閉塞体は、前記窓用開口部に取り付けられる枠体と、前記枠体に対し内開き形式で開閉可能に取り付けられた扉体と、を有し、
前記換気ファンは、前記扉体に設けられていることを特徴とする換気装置。
【請求項２】
前記扉体は、框体と、前記框体に装着されたパネル体と、を含み、
前記換気ファンは、前記パネル体に取り付けられていることを特徴とする請求項１に記載の換気装置。
【請求項３】
前記パネル体は、
前記換気ファンが取り付けられるファン取付け部と、
前記ファン取付け部以外の、透光性を有する採光部と、から成ることを特徴とする請求項２に記載の換気装置。
【請求項４】
前記枠体は、前記窓用開口部の内周面に取り付けられ、
前記框体は、前記扉体を閉塞した状態で、前記枠体の屋内側見付け面に添設するように取り付けられていることを特徴とする請求項２または３に記載の換気装置。
【請求項５】
前記枠体を介して、前記閉塞体を前記窓用開口部に対し着脱可能に装着するための装着手段を、更に備えたことを特徴とする請求項１ないし３のいずれか一項に記載の換気装置。
【請求項６】
前記閉塞体は、前記枠体を前記窓用開口部の前記屋内側の端面に突き当てるように装着されていることを特徴とする請求項５に記載の換気装置。
【請求項７】
前記装着手段は、
一方の端部を前記枠体に固定され、他方の端部で前記窓用開口部の一対の対向壁に対し、相互に弾力的に突っ張る突っ張り具対を有することを特徴とする請求項６に記載の換気装置。
【請求項８】
前記装着手段は、
一方の端部を前記枠体に固定されると共に他方の端部を前記既設の窓の窓枠に掛止めされ、前記閉塞体を前記窓枠側に弾力的に引き付ける複数の引き付け具を有することを特徴とする請求項６に記載の換気装置。
【請求項９】
前記枠体と前記扉体との間に介設され、閉塞状態の前記扉体を前記枠体に磁着するマグネット部を有することを特徴とする請求項１ないし８のいずれか一項に記載の換気装置。
【請求項１０】
前記換気ファンは、３０Ｖ以下の電源電圧で駆動するファンモーターを有することを特徴とする請求項１ないし９のいずれか一項に記載の換気装置。
【発明の詳細な説明】
【技術分野】
【０００１】
本発明は、浴室等の既設の窓に設けられる換気装置に関する。
【背景技術】
【０００２】
従来、この種の換気装置として、既設の内倒し窓に組み込んだ窓用換気扇装置が知られている（特許文献１参照）。この窓用換気扇装置は、内倒し窓の窓ガラスに代えて、内倒し窓の窓枠（窓框）に装着したＬ字プレートと、Ｌ字プレートの隅部に位置する矩形開口に装着された樹脂製取付板と、樹脂製取付板の取付開口に取り付けた窓用換気扇と、窓用換気扇に対応して、樹脂製取付板の屋外側に取り付けた屋外フードと、を備えている。
また、この種の換気装置として、既設の換気小窓の屋内側に取り付けた換気小窓用の換気扇が知られている（特許文献２参照）。この既設の換気小窓は、窓本体の上側に配設され、引違い形式で開閉される内外２枚のガラス板を有している。この従来技術では、換気小窓の開口部分枠に屋内側から換気扇用の枠を設け、この枠に換気扇が取り付けられている。換気扇は、モーターファンとその筐体とから成り、マジックテープを介して、筐体の部分で枠に取り付けられている。この場合、ガラス板を開放した状態で、換気扇（モーターファン）を駆動する。
【先行技術文献】
【特許文献】
【０００３】
【特許文献１】特開２００８−３２２４６号公報
【特許文献２】特開２０００−３０４３１９号公報
【発明の概要】
【発明が解決しようとする課題】
【０００４】
このような、従来の窓用換気扇装置（前者）では、換気扇を設けるために既設の内倒し窓を改修することになる。一方で、例えば昭和５０年代以前の集合住宅等では、既設の窓の改修は、防火区画面やスパンドレル（延焼防止）面に該当し、建築基準法や消防法の法規制を受けることになる。したがって、窓の改修を伴う従来の窓用換気扇装置では、既設の窓の位置等によっては合法的に設置することができない問題があった。
一方、従来の換気小窓用の換気扇（後者）では、既設の窓の改修を伴わないため、前者の従来技術のように法規制を受けることはない。しかし、後者の従来技術では、既設の窓の開放部分と換気扇とを対応させて設ける必要があるため、既設の窓が引違い窓や縦辷り出し窓等の特定の開閉形式の窓以外の窓には、設置することができない問題があった。
【０００５】
本発明は、既設の窓の改修を伴うことなく且つ既設の窓の開閉形式を問わず、設置することができる換気装置を提供することを課題としている。
【課題を解決するための手段】
【０００６】
本発明の換気装置は、開閉可能な既設の窓が設けられた窓用開口部に取り付けられる換気装置であって、既設の窓の屋内側に配設され、窓用開口部を閉塞する閉塞体と、閉塞体に設けられ、閉塞体の屋内側および屋外側間で送風を行う換気ファンと、を備え、閉塞体は、窓用開口部に取り付けられる枠体と、枠体に対し内開き形式で開閉可能に取り付けられた扉体と、を有し、換気ファンは、扉体に設けられていることを特徴とする。
【０００７】
この構成によれば、窓用開口部における既設の窓の屋内側に閉塞体を配設し、この閉塞体に換気ファンを設けるようにしているため、既設の窓を改修することなく、換気ファンを設置することができる。したがって、換気ファンを合法的に設置することができる。また、閉塞体は、その屋内側および屋外側間で送風を行うべく、窓用開口部を閉塞するように設けられているため、換気ファンに対して、既設の窓と閉塞体との間の空間をダクト或いはチャンバーとて機能させることができる。したがって、既設の窓の開閉形式を問わず、これを開放することで、屋内側の換気を適切に行うことができる。なお、この場合の換気方式は、屋内側の空気を屋外側に排気するもの（第３種換気法）、屋外側の空気を屋内側に吸気するもの（第２種換気法）、のいずれであってもよい。
また、閉塞体を、内窓と同様の形態（枠体と扉体の形態）としているため、窓用開口部に簡単に取り付けることができる。また、扉体を開放することで、既設の窓の開閉を容易に行うことができると共に、換気ファンのメンテナンス等も容易に行うことができる。
【００１０】
この場合、扉体は、框体と、框体に装着されたパネル体と、を含み、換気ファンは、パネル体に取り付けられていることが好ましい。
【００１１】
この場合、パネル体は、換気ファンが取り付けられるファン取付け部と、ファン取付け部以外の、透光性を有する採光部と、から成ることが好ましい。
【００１２】
これらの構成によれば、ファン取付け部に、主に換気ファンの支持機能を持たせ、採光部に、主に採光機能を持たせることで、パネル体を薄手に形成することができる。これにより、扉体全体を薄手に形成することができる。
【００１３】
また、枠体は、窓用開口部の内周面に取り付けられ、框体は、扉体を閉塞した状態で、枠体の屋内側見付け面に添設するように取り付けられていることが好ましい。
【００１４】
この構成によれば、枠体と框体とを見付け方向にオーバーラップして配置することができ、採光面積の減少を可能な限り抑制することができる。
【００１５】
また、枠体を介して、閉塞体を窓用開口部に対し着脱可能に装着するための装着手段を、更に備えることが好ましい。
【００１６】
この構成によれば、装着手段により、閉塞体を窓用開口部に着脱自在に取り付けるようにしているため、一部または全部の交換を含むメンテナンス性等を、向上させることができる。また、賃貸住宅等においては、現状復旧を容易に行うことができる。
【００１７】
この場合、閉塞体は、枠体を窓用開口部の屋内側の端面に突き当てるように装着されていることが好ましい。
【００１８】
この構成によれば、装着手段により、枠体を窓用開口部の屋内側の端面に突き当てるようにしているため、採光面積の減少を可能な限り抑制することができる。
【００１９】
この場合、装着手段は、一方の端部を枠体に固定され、他方の端部で窓用開口部の一対の対向壁に対し、相互に弾力的に突っ張る突っ張り具対を有することが好ましい。
【００２０】
同様に、装着手段は、一方の端部を枠体に固定されると共に他方の端部を既設の窓の窓枠に掛止めされ、閉塞体を窓枠側に弾力的に引き付ける複数の引き付け具を有することが好ましい。
【００２１】
これらの構成によれば、窓用開口部側に加工等を施すことなく、閉塞体を取り付けることができる。したがって、換気装置を取り外す必要が生じたときに、窓用開口部側の完全な復旧が可能になる。また、閉塞体を、窓用開口部に簡単に取り付けることができ、現場作業を短時間で行うことができる。
【００２２】
また、枠体と扉体との間に介設され、閉塞状態の扉体を枠体に磁着するマグネット部を有することが好ましい。
【００２３】
この構成によれば、扉体の開閉構造を単純化することができる。
【００２４】
一方、換気ファンは、３０Ｖ以下の電源電圧で駆動するファンモーターを有することが好ましい。
【００２５】
この構成によれば、換気ファンに接続する電源や配線において、その設置および取り廻しの容易性や安全性を確保することができる。なお、この場合、ファンモーターの電源が直流電源である場合には、商用電源（コンセント）を用い、ＡＣ−ＤＣアダプターを介して接続するか、バッテリー電源を用いることが好ましい。
【図面の簡単な説明】
【００２６】
【図１】第１実施形態に係る換気装置の屋内側から見た姿図である。
【図２】第１実施形態に係る換気装置の縦断面図（ａ）および横断面図（ｂ）である。
【図３】第２実施形態に係る換気装置の屋内側から見た姿図である。
【図４】第２実施形態に係る換気装置の縦断面図（ａ）および横断面図（ｂ）である。
【図５】突っ張り具の構造図である。
【図６】第３実施形態に係る換気装置の縦断面図（ａ）および横断面図（ｂ）である。
【図７】引き付け具の構造図である。
【図８】第４実施形態に係る換気装置の屋内側から見た姿図である。
【発明を実施するための形態】
【００２７】
以下、添付の図面を参照して、本発明の一実施形態に係る換気装置について説明する。この換気装置は、換気扇が設置されていない浴室や便所等において、機械換気を可能とすべく、既設の窓に設けられるものである。また、この換気装置は、建築基準法や消防法（現行法）に対し合法的に設置すべく、既設の窓の改修を必要とすることなく、設置可能とするものである。したがって、本実施形態の換気装置は、既設の窓を設けた窓用開口部（建築開口部）に、既設の窓の屋内側に位置して設置されるようになっている。なお、本実施形態では、換気装置を工場で組み立て、現場で窓用開口部に据え付けるようにしている。
【００２８】
［第１実施形態］
図１、図２（ａ）および図２（ｂ）は、それぞれ第１実施形態に係る換気装置の姿図、縦断面図および横断面図である。これらの図に示すように、換気装置１は、既設の窓１００を設けた窓用開口部１０１において、既設の窓１００の屋内Ａ側に設置されている。既設の窓１００は、窓用開口部１０１に設けた中桟１１１付きの窓枠１１０と、中桟１１１を隔てて窓枠１１０の上半部に設けた内倒し窓１１２、および下半部に設けたフィックス窓１１３と、を有している。
【００２９】
換気装置１は、窓用開口部１０１の内側に設けた枠体３（四周枠）と、枠体３に開閉自在に取り付けた内開きの扉体４と、扉体４に設けた換気ファン５と、を備えている。枠体３は、窓用開口部１０１に固定した本体枠部１１（四周枠）と、本体枠部１１の内側に扉体４を受けるように設けた受け枠部１２と、を有している。本体枠部１１および受け枠部１２は、樹脂サッシ製またはアルミサッシ製であり、一体に或いは別体に形成されている。また、扉体４は、樹脂製またはアルミサッシ製の框体１４と、框体１４に装着したパネル体１５と、を有し、換気ファン５は、このパネル体１５に取り付けられている。
【００３０】
この場合、枠体３と扉体４とは、既設の窓１００に対し、いわゆる内窓２（閉塞体）を構成している。すなわち、窓用開口部１０１の屋外Ｂ側に既設の窓１００が配置され、屋内Ａ側に内窓２が配置された状態となっている。したがって、扉体４を閉塞した内窓２は、窓用開口部１０１を屋内Ａ側において閉塞し、断熱や防音等の機能を発揮する。一方、扉体４を開放した内窓２では、内倒し窓１１２の開閉が可能になると共に、内倒し窓１１２やフィックス窓１１３のメンテナンス（清掃）が可能になる。
【００３１】
また、換気ファン５は、内窓２に設けられており、内窓２と既設の窓１００との間の空間Ｓ（間隙）は、換気ファン５に連なるダクト或いはチャンバーとして機能する。このため、内窓２は、既設の窓１００に対し、可能なかぎり屋内Ａ側に離して設置することが好ましい。
【００３２】
本体枠部１１は、屋内Ａ側の端部を額縁状とした四周枠状に形成され、コンクリートねじ等により、窓用開口部１０１の内周面に固定されている。本体枠部１１の一方の縦枠部分には、上下一対の蝶番１７を介して扉体４が開閉自在に支持されている。また、本体枠部１１は、マグネット部２１を介して、閉塞状態の扉体４を磁着する。マグネット部２１は、扉体４に設けたマグネットシート２２と、本体枠部１１に設けた磁性プレート２３（例えば鉄板）とで構成されている。詳細は後述するが、マグネットシート２２は、扉体４の戸先側端面に帯状を為すように接着（固定）され、磁性プレート２３は、磁性プレート２３対応して、本体枠部１１の縦枠部分に帯状を為すように接着（固定）されている。
【００３３】
受け枠部１２は、四周に亘って本体枠部１１の内周面から突出しており、閉塞状態の扉体４を受けるようになっている。また、受け枠部１２には、その屋内Ａ側の見付け面に四周に亘ってエアータイト材が、一体に形成（２色成型）されており、閉塞状態の扉体４が気密に接触する。
【００３４】
框体１４は、樹脂やアルミニウムの押出し形材等で四周枠状に形成されている。框体１４の吊り元側の縦框１４ａには、上記上下一対の蝶番１７が取り付けられている。また、戸先側の縦框１４ａには、端面に位置して上記のマグネットシート２２が、見付け面に位置して縦長の取っ手２５が、それぞれ取り付けられている。扉体４を閉塞すると、框体１４のマグネットシート２２が本体枠部１１の磁性プレート２３に磁着し、扉体４が閉塞状態を維持する。
【００３５】
パネル体１５は、例えば５ｍｍ厚のアクリル板や６ｍｍ厚の中空ポリカーボネート板等の、透光性を有する樹脂パネルで構成されており、ビード２６を介して框体１４に装着されている。パネル体１５の上部には、換気ファン５を取り付けるための取付け開口２８が形成されている。取付け開口２８は、換気ファン５の口径に合わせて円形に形成され、上記の内倒し窓１１２に対応した位置に配設されている。なお、換気ファン５は、パネル体１５の下部や隅部に取り付けることも可能である。
【００３６】
換気ファン５は、ファン本体３１と、ファン本体３１を回転させるファンモーター３２と、これらを収容するハウジング３３とを有しており、全体としてユニット化されている。また、ハウジング３３は、送風方向に２分割可能に構成されている。したがって、ハウジング３３を２分割としておいて、取付け開口２８の開口縁部を挟み込み、この状態でねじ止めすることにより、換気ファン５がパネル体１５に取り付けられている。
【００３７】
ファンモーター３２は、電源電圧２４Ｖの直流モーターで構成されている。すなわち、この換気ファン５は、一般的な家庭用の換気扇ではなく、電子機器等に組み込まれる冷却用ファンであって、浴室や便所等の換気対象室に対し所定の換気量を充足する送風量のものを用いている。したがって、ファンモーター３２に接続される電源ケーブルは、ＡＣアダプターを介してコンセント等の商用電源に接続される（いずれも図示省略）。この場合、電源ケーブルは、換気対象室の壁面等に設置したモールにより配線することが好ましい。
【００３８】
なお、ファンモーター３２は、電源電圧３０Ｖの直流モーターで構成されていることが好ましい。また、電源ケーブルの配線が難しい場合には、商用電源に代えてバッテリー電源（防水を考慮）を用いることも可能である。さらに、商用電源（交流１００Ｖ）で駆動する換気ファン５を用いることも可能である。
【００３９】
この換気装置１では、既設の内倒し窓１１２を開放すると共に扉体４（内窓２）を閉塞しておいて、換気ファン５を駆動する。換気ファン５が駆動すると、屋内Ａ（換気対象室）のエアーは、既設の窓１００と内窓２の間の空間Ｓ（間隙）に送風され、さらに内倒し窓１１２の開放部分を通って屋外Ｂに排気される。
【００４０】
このような、第１実施形態の換気装置１では、換気ファン５を設けた内窓２を窓用開口部１０１に取り付けるようにしているため、既設の窓１００を改修することなく換気ファン５を設けることができる。したがって、換気装置１を、換気対象室に合法的に設置することができる。また、既設の窓１００と内窓２との間に、ダクト或いはチャンバーとなる空間Ｓを設けるようにしているため、既設の窓１００の開閉方式を問わず、換気ファン５を設けることができる。
【００４１】
［第２実施形態］
次に、図３および図４を参照して、第２実施形態に係る換気装置１Ａについて説明する。なお、第２実施形態では、主に第１実施形態と異なる部分について説明する。これらの図に示すように、第２実施形態では、既設の窓１００が、横辷り出し窓で構成される一方、換気装置１Ａは、窓用開口部１０１の屋内Ａ側端面に突き当てた状態で、窓用開口部１０１に着脱可能に装着されている。
【００４２】
換気装置１Ａは、窓用開口部１０１の屋内Ａ側端面に突き当てるように配設したアルミサッシ製の枠体３（四周枠）と、枠体３に開閉自在に取り付けた扉体４と、扉体４に設けた換気ファン５と、を備えている。また、換気装置１Ａは、枠体３を窓用開口部１０１の屋内Ａ側の端面に突き当てた状態で、内窓２を窓用開口部１０１に着脱可能に装着するための装着手段７を備えている。そして、実施形態の装着手段７は、複数（図示のものは４つ）の突っ張り具４１で構成されている。また、枠体３および扉体４から成る内窓２は、窓用開口部１０１の屋内Ａ側端面に突き当てるように配設されるため、可能な限り薄手に形成されている。
【００４３】
枠体３は、アルミニウムの押出し形材等を、樹脂製のコーナージョイント１３で連結し四周枠状に形成されている（図３参照）。また、枠体３は、窓用開口部１０１に突き当てられる枠本体４３と、枠本体４３から内側に延び閉塞状態の扉体４（框体１４）を受ける受け板部４４と、で一体に形成されている。この場合、枠体３の幅寸法は、窓用開口部１０１の幅寸法と略同一に形成される一方、枠体３の縦寸法は、上枠３ａおよび下枠３ｂが窓用開口部１０１に突き当て得るように、窓用開口部１０１の縦寸法より大きく形成されている。
【００４４】
扉体４は、枠体３の内側に配設されており、枠体３に設けた上下一対のヒンジピン４６により、枠体３に開閉自在に支持されている。また、扉体４は、アルミサッシ製の框体１４と、框体１４に装着したパネル体１５と、を有し、換気ファン５は、このパネル体１５に取り付けられている。
【００４５】
この場合のパネル体１５は、内窓２を薄手に構成すべく、第１実施形態のパネル体１５に比して十分に薄手に形成されている。すなわち、パネル体１５は、換気ファン５の支持および採光を考慮し、換気ファン５を取り付けるための上部パネル５１（ファン取付け部）と、下部パネル５２（採光部）とを有している。
【００４６】
一方、框体１４は、上部パネル５１および下部パネル５２を仕切る中間框５３を有している。すなわち、上部パネル５１は、中間框５３を含む框体１４の上部屋外Ｂ側に装着され、下部パネル５２は、中間框５３を含む框体１４の下部屋外Ｂ側に装着されている。また、框体１４の縦框１４ａは、屋内Ａ側において内側に突設した突設片１４ａａを有しており、突設片１４ａａが、扉体４を開閉するときの取っ手として機能する（図４（ｂ）参照）。
【００４７】
上部パネル５１は、換気ファン５を適切に支持すべく、例えば２ｍｍ厚のアルミニウム板で形成されている。一方、下部パネル５２は、採光を十分に得るべく、例えば２ｍｍ厚の透光性を有するアクリル板で形成されている。そして、アルミニウム板で形成された上部パネル５１には、第１実施形態と同様に取付け開口２８が形成され、この取付け開口２８に換気ファン５が取り付けられている。
【００４８】
装着手段７は、枠体３の両縦枠３ｃに固定され、既設の窓１００側に延びる各縦枠３ｃ宛て２つ、計４つの突っ張り具４１で構成されている。４つの突っ張り具４１は、上側の左右２つの突っ張り具４１および下側の左右２つの突っ張り具４１がそれぞれ対を為しており、対を為す２つの突っ張り具４１が、相互に外方に向かって窓用開口部１０１を押圧する。すなわち、上側の左右一対の突っ張り具４１および下側の左右一対の突っ張り具４１は、それぞれ請求項に言う「突っ張り具対」を構成している。
【００４９】
図５に示すように、各突っ張り具４１は、一方の端部を、枠体３（縦枠３ｃ）に固定された断面「Ｌ」字状のブラケット部６１と、ブラケット部６１の他方の端部に螺合し、窓用開口部１０１の内周面を押圧する雄ねじ部６２と、雄ねじ部６２の先端部に設けた当て板６３と、を有している。
【００５０】
ブラケット部６１は、ばね性を有しており、基部側で枠体３の枠本体４３にねじ止めされている。具体的には、枠本体４３にはあり溝が形成されており、ブラケット部６１は、このあり溝に投入した裏板にねじ止めされている。また、ブラケット部６１の基部には、上下方向に延びるねじ止め用の長穴が形成されている。したがって、ブラケット部６１は、縦枠３ｃに対し、左右方向および上下方向に位置調整可能に取り付けられている。
【００５１】
また、ブラケット部６１の先端部には、雌ねじ６４が設けられ、この雌ねじ６４に雄ねじ部６２が螺合するようになっている。当て板６３は、雄ねじ部６２の先端部に回転自在に取り付けられており、雄ねじ部６２の締め付け（回転  ）を許容しつつ、窓用開口部１０１の内周面を押圧する。これにより、対を為す左右の突っ張り具４１が相互に突っ張って、内窓２が窓用開口部１０１に着脱可能に装着される。
【００５２】
装着手段７を用いた内窓２の窓用開口部１０１への装着では、扉体４を開放した状態で、枠体３を窓用開口部１０１に装着する。枠体３の装着では、先ず枠体３に取り付けた各突っ張り具４１の雄ねじ部６２を緩めておいて、枠体３を窓用開口部１０１の屋内Ａ側端部に突き当てる。この状態で、上側の２つの突っ張り具４１の雄ねじ部６２を締め付け、さらに下側の２つの突っ張り具４１の雄ねじ部６２を締め付けて、枠体３を窓用開口部１０１に仮止めする。
【００５３】
ここで、枠体３の窓用開口部１０１への突き当て状態（位置決め状態）を確認した後、上側の２つの突っ張り具４１の雄ねじ部６２を本締めして、突っ張り具４１を左右に突っ張った状態とする。同様に、下側の２つの突っ張り具４１の雄ねじ部６２を本締めして、突っ張り具４１を左右に突っ張った状態とする。このようにして、下枠３ｂを窓用開口部１０１に装着したら、扉体４を閉塞して作業を完了する。
【００５４】
このような、第２実施形態の換気装置１Ａでは、第１実施形態と同様に、既設の窓１００を改修することなく換気ファン５を設けることができ、換気装置１Ａを合法的に設置することができる。また、既設の窓１００の開閉方式を問わず、換気ファン５（換気装置１Ａ）を設けることができる。
【００５５】
また、４つの突っ張り具４１（装着手段７）を用いて、内窓２を窓用開口部１０１に着脱可能に装着するようにしているため、内窓２を窓用開口部１０１に短時間で簡単に取り付けることができる。また、内窓２の取付け（装着）に際し、窓用開口部１０１に加工等を必要としないため、窓用開口部１０１が傷つくことがなく、必要に応じて完全な復旧も可能となる（例えば賃貸住宅）。
【００５６】
なお、突っ張り具４１は、板ばねで構成してもよい。この板ばねは、例えば上記のブラケット部６１に倣って、枠体３にねじ止めされる取付けばね部と、反りを持って窓用開口部１０１に接触する当接ばね部と、で一体に形成する。この場合には、内窓２を窓用開口部１０１にワンタッチで装着することができる。また、突っ張り具４１の個数は任意であり、突っ張り具４１を、枠体３の上枠３ａおよび下枠３ｂに取り付けてもよい。
【００５７】
［第３実施形態］
次に、図３および図６を参照して、第３実施形態に係る換気装置１Ｂについて説明する。なお、第３実施形態では、主に第２実施形態と異なる部分について説明する。両図に示すように、第３実施形態も、第２実施形態と同様に、既設の窓１００が、横辷り出し窓で構成される一方、換気装置１Ｂは、窓用開口部１０１の屋内Ａ側端面（実施形態のものは、スペーサー枠の端面）に突き当てた状態で、窓用開口部１０１に着脱可能に装着されている。
【００５８】
この場合の換気装置１Ｂも、第２実施形態と同様に、窓用開口部１０１の屋内Ａ側端面に突き当てるように配設した枠体３（四周枠）と、枠体３に開閉自在に取り付けた扉体４と、扉体４に設けた換気ファン５と、を備えている。すなわち、第３実施形態の内窓２は、第２実施形態の内窓２と同一の形態を有している。
【００５９】
また、換気装置１Ｂは、枠体３を窓用開口部１０１に突き当てた状態で、内窓２を窓用開口部１０１に着脱可能に装着するための装着手段７を備えている。そして、この実施形態の装着手段７は、複数（図示のものは４つ）の引き付け具７１で構成されている。
【００６０】
すなわち、装着手段７は、枠体３の両縦枠３ｃに固定され、既設の窓１００側に延びる各縦枠３ｃ宛て２つ、計４つの引き付け具７１で構成されている。４つの引き付け具７１は、上側の２つの引き付け具７１および下側の２つの引き付け具７１で構成され、窓用開口部１０１に突き当てた内窓２を、既設の窓１００側に強く引き付けるようにしている。
【００６１】
図７に示すように、各引き付け具７１は、既設の窓１００の窓枠１１０に掛け止めされるフック部７４と、一方の端部を枠体３（縦枠３ｃ）に掛け止めされ他方の端部をフック部７４に掛け止めされた引張りばね部７５と、を有している。引張りばね部７５は、コイルばねで構成されており、その一方の端部は、枠体３（縦枠３ｃ）の受け板部４４に形成した切起し部に掛け止めされている。また、フック部７４は、引張りばね部７５を伸張した状態で、窓枠１１０の縦枠部分に、着脱可能に掛け止め（フッキング）されている。
【００６２】
この場合も、装着手段７を用いた内窓２の窓用開口部１０１への装着では、扉体４を開放した状態で、枠体３を窓用開口部１０１に装着する。枠体３の装着では、枠体３を窓用開口部１０１の屋内Ａ側端部に突き当てておいて、枠体３に取り付けた４つの引き付け具７１を１つずつ窓枠１１０に掛け止めする。最終的に、枠体３の窓用開口部１０１への突き当て状態（位置決め状態）を確認した後、扉体４を閉塞して作業を完了する。
【００６３】
このような、第３実施形態の換気装置１Ｂでは、第１・第２実施形態と同様に、既設の窓１００を改修することなく換気ファン５を設けることができ、換気装置１Ｂを合法的に設置することができる。また、既設の窓１００の開閉方式を問わず、換気ファン５（換気装置１Ｂ）を設けることができる。
【００６４】
また、４つの引き付け具７１（装着手段７）を用いて、内窓２を窓用開口部１０１に着脱可能に装着するようにしているため、内窓２を窓用開口部１０１に短時間で簡単に取り付けることができる。また、内窓２の取付け（装着）に際し、窓用開口部１０１に加工等を必要としないため、窓用開口部１０１が傷つくことがなく、必要に応じて完全な復旧も可能となる。
【００６５】
なお、この実施形態では、引き付け具７１を、既設の窓１００の窓枠１１０に掛け止めするようにしているが、窓用開口部１０１廻りに等に突起部や段部があれば、これに掛け止めするようにしてもよい。また、引き付け具７１として、ターンバックル等を用いることも可能である。さらに、引き付け具７１の個数は任意であり、引き付け具７１を、枠体３の上枠３ａおよび下枠３ｂに取り付けてもよい。
【００６６】
［第４実施形態］
次に、図８を参照して、第４実施形態に係る換気装置１Ｃについて説明する。なお、第４実施形態では、主に第１実施形態と異なる部分について説明する。同図に示すように、第４実施形態の換気装置１Ｃは、上記の扉体４に相当する閉塞体を、窓用開口部１０１に直接取り付けたフィックスの内窓２の形態を有しているすなわち、この換気装置１Ｃは、窓用開口部１０１の内側に設けた框体１４と、框体１４に装着したパネル体１５と、パネル体１５に取り付けた換気ファン５と、を備えている。
【００６７】
框体１４は、四周に亘りパッキン等を介して、窓用開口部１０１に気密に取り付けられている。一方、パネル体１５には、左右一対の小窓８１が開閉自在に設けられており、上記の内倒し窓１１２の開閉操作等を可能としている。また、パネル体１５は元より、一対の小窓８１も透光性の樹脂等で構成され、十分な採光が得られるようになっている。
【００６８】
このような、第４実施形態の換気装置１Ｃでも、既設の窓１００を改修することなく換気ファン５を設けることができ、換気装置１Ｃを合法的に設置することができる。また、既設の窓１００の開閉方式を問わず、換気ファン５（換気装置１Ｃ）を設けることができる。
【符号の説明】
【００６９】
１，１Ａ，１Ｂ，１Ｃ  換気装置、２  内窓、３  枠体、４  扉体、５  換気ファン、７  装着手段、１１  本体枠部、１２  受け枠部、１４  框体、１５  パネル体、２１  マグネット部、２８  取付け開口、３２  ファンモーター、４１  突っ張り具、５１  上部パネル、５２  下部パネル、７１  引き付け具、１００  既設の窓、１０１  窓用開口部、１１０  窓枠、Ａ  屋内、Ｂ  屋外、Ｓ  空間
【図１】
0006466212.tif 000002
【図２】
0006466212.tif 000003
【図３】
0006466212.tif 000004
【図４】
0006466212.tif 000005
【図５】
0006466212.tif 000006
【図６】
0006466212.tif 000007
【図７】
0006466212.tif 000008
【図８】
0006466212.tif 000009